(57)【特許請求の範囲】
【請求項１】
破断可能なシール部材によって封止される容器口部に設けられるスパウト本体に、その注出口を閉じるキャップが螺着されるとともに、スパウト本体の内部には前記キャップを開蓋方向に回転することに伴って前記シール部材を突き破る方向に螺旋状に回転して移動する筒状の開封部材が設けられた開封部材付きスパウトにおいて、
前記開封部材の先端縁に、前記シール部材の外周部を突き刺しつつ回転する刃部と、縁部が平坦面に形成され前記シール部材を押圧する押圧部とが前記シール部材側に突出して形成され、
前記刃部は、前記回転方向に対して前記刃部の先頭部から頂部へ向けて前記シール部材側に突出するように傾斜する傾斜部を有し、
前記押圧部は、前記開封部材が螺旋状に回転して前記シール部材に向けて移動する際の回転方向において前記刃部よりも前方側に配設されるとともに、前記回転方向に対してその先頭部から後尾部へ向けて前記シール部材側に突出するように傾斜しており、前記後尾部が前記刃部の先頭部と隣接し、かつ該押圧部に係る最もシール部材側に突出した部分は前記刃部の頂部よりも突出しないように、かつ前記刃部の先頭部と連なるように前記傾斜部に形成されている
ことを特徴とする開封部材付きスパウト。
【発明の詳細な説明】
【技術分野】
【０００１】
この発明は、流体状の内容物を収容する容器の注出口であって、特に容器の開口部を封止しているシール部材を破断させる開封部材を備えたスパウトに関するものである。
【背景技術】
【０００２】
従来、熱融着可能な合成樹脂フィルムでラミネートされた紙パック等の容器における飲み口もしくは注出口として合成樹脂製のスパウトが広く用いられている。このスパウトは一般的に、容器と熱融着するフランジを備え、このフランジから円筒状に延びた注出筒の外周面にネジ山が形成されてキャップが螺着可能となっている。また、容器の開口周縁部分とフランジのシール面とを熱融着して容器とスパウトとが一体化して、容器における注出口栓を形成する。
【０００３】
また、容器の開口部を密封（封止）させたシール部材を破断させて、容器を開封させる筒状カッターを備えたスパウトが知られている。そのスパウトは、注出筒の内周面に形成されたネジ部とその外周面に形成されたキャップ螺合用ネジ部とが逆ネジとなっていて、開蓋方向にキャップを回転させると筒状カッターがキャップの上昇方向とは逆方向、すなわち容器本体方向に移動する。そして、容器開口部を密封しているシール部材を破断して、キャップの開蓋とともにシール部材を破断して容器本体を開封させる。
【０００４】
そのシール部材を破断する筒状カッターを備えたスパウトとして、例えば、特許文献１には、シール部材の切断片が容器内に混入させず、かつ容器本体と突刺具とにより開封片を巻き込まないようにさせるものが開示されている。具体的には、筒状の突刺具の下端に形成された刃先により封止フィルムを破断するものであって、その刃先は異なった高さを有する刃突起と平坦部と台座部とが環状配列されたものである。これにより、環状刃先の台座部は、封止フィルムを突き破ることはなく、刃突起によって突き破られた開封片を容器内方へ押し込み、かつそれまでに突き破られた部分の開封片が、注出口本体と突刺具との間に巻き込まれないようにすることができる。
【０００５】
また、特許文献２には、移動筒の回転角を小さくすることで切断部材の一部のみを破断して切残り部を残存させるキャップであって、移動筒の下端には複数の刃部分と所定刃の間に形成された谷部分を有する切断部材が形成されていることが記載されている。さらに、特許文献３には、筒状カッターがスパウトから離脱し容器本体内に落下させないために、注出筒の内周面に形成されたネジ状ストッパーに筒状カッターが係止させる構造が記載されている。
【先行技術文献】
【特許文献】
【０００６】
【特許文献１】特開平１１−１７１２３３号公報
【特許文献２】特開２００５−１０４５０６号公報
【特許文献３】特開２０１０−２３８７３号公報
【発明の概要】
【発明が解決しようとする課題】
【０００７】
しかしながら、特許文献１に記載の注出口では、突刺具の刃先に含まれる台座によって封止フィルムを押圧することができるものの、台座や刃突起を環状配列させた刃先であるため、突き破られた開封片を十分に押し込めないおそれがあり、改良の余地があった。
【０００８】
また、特許文献２に記載のキャップでは、切残り部を形成し切断片の落下や巻き込み防止のため、刃の尖端が形成する穴同士が繋がる間のみ破断するものであって、この間は頂壁とのテンションを保つために破断部を押圧しないものであった。したがって、破断線の完成後、すなわち頂壁から切断部の切り取り動作が完了した後に切り離されテンションを失った切断片を押し下げるものであり、十分に押し込めず切断片を巻き込むおそれがあり、改良の余地があった。注出筒の内側に突き出て注出流路を閉塞し、内容物の注出を阻害するおそれがあった。
【０００９】
そこで、この発明は、上記の技術的課題に着目してなされたものであり、容器を密封していた部材の一部分を開蓋動作に伴い破断させ、その開封片を離脱させずかつ開封片が注出流路を塞がないようにさせる開封部材付きスパウトの提供を目的とするものである。
【課題を解決するための手段】
【００１０】
上記従来技術の課題を解決するために、請求項１に係る発明は、破断可能なシール部材によって封止される容器口部に設けられるスパウト本体に、その注出口を閉じるキャップが螺着されるとともに、スパウト本体の内部には前記キャップを開蓋方向に回転することに伴って前記シール部材を突き破る方向に螺旋状に回転して移動する筒状の開封部材が設けられた開封部材付きスパウトにおいて、前記開封部材の先端縁に、前記シール部材の外周部を突き刺しつつ回転する刃部と、縁部が平坦面に形成され前記シール部材を押圧する押圧部とが前記シール部材側に突出して形成され、前記刃部は、前記回転方向に対して前記刃部の先頭部から頂部へ向けて前記シール部材側に突出するように傾斜する傾斜部を有し、前記押圧部は、前記開封部材が螺旋状に回転して前記シール部材に向けて移動する際の回転方向において前記刃部よりも前方側に配設されるとともに、前記回転方向に対してその先頭部から後尾部へ向けて前記シール部材側に突出するように傾斜しており、前記後尾部が前記刃部の先頭部と隣接し、かつ該押圧部に係る最もシール部材側に突出した部分は前記刃部の頂部よりも突出しないように、かつ前記刃部の先頭部と連なるように前記傾斜部に形成されていることを特徴とするものである。
【発明の効果】
【００１３】
請求項１に係る発明によれば、開封動作に連動して容器本体を密封していたシール部材を開封することができるとともに、その開封の際に破断されたシール部材の開封片を容器本体内に脱落させることを防止し、かつ注出口内を連通させた注出流路を開封片が閉塞することを防止することができる。また、刃部による破断とともに、開封片を押圧部により確実に容器本体側に押し込むことができ、開口部を綺麗に形成することができる。また、請求項１に係る発明によれば、刃部の傾斜部に押圧部が形成されているため、開封部材の螺旋状の回転動作により、刃部の頂部から突き刺せられ切り裂かれたシール部材を押圧部で円滑に押圧することができる。
【図面の簡単な説明】
【００１６】
【図１】この発明の一実施形態に係る容器用注出口の閉蓋状態における側面断面図を模式的に示したものである。
【図２】この発明の一実施形態に係る容器用注出口の開蓋状態における側面断面図を模式的に示したものである。
【図３】容器用注出口の分解図を模式的に示した側面断面図である。
【図４】一実施形態に係る開封部材の側面図と上面斜視図と下面斜視図とを示したものである。
【図５】この発明の参考例に係る開封部材の側面図と上面斜視図と下面斜視図とを示したものである。
【発明を実施するための形態】
【００１７】
以下、この発明を具体的に説明する。この発明に係る開封部材付きスパウトは、流体状の内容物を収容した容器本体に固着されかつ開封後に注出口として機能するものであって、この容器本体を封止しているシール部材を破断させ容器本体を開封させる機能を備えた注出口である。また、そのシール部材を破断開封させる前において、開封部材付きスパウトを閉蓋しているキャップの開封動作に連動して、この破断開封前のシール部材を破断させるように開封部材を動作させることができるものである。また、開封部材により破断されたシール部材の一部や開封片が容器本体内に離脱しないように、シール部材の一部のみを破断するとともに開口した開口部および連通した注出流路を塞がないように開封片を収容する開封部材付きスパウトである。
【００１８】
（実施例１）
図１は、実施例１における開封部材付きスパウト１を模式的に示した側面断面図である。この開封部材付きスパウト１は、各構成部材が合成樹脂材料により形成されており、スパウト本体２の注出筒部２１における内周面に装着された開封部材４が、その注出筒部２１における外周面に螺合しかつスパウト本体２の開口部を封止するように冠着しているキャップ３の開封動作に連動して、注出筒部２１内をシール部材５を突き破る方向に移動しシール部材５を破断するものである。図３に示すように、その開封部材４の先端縁に形成された開封部４３に、シール部材５を突き刺しかつ回転により切り裂く刃として機能する突出した刃部４４と、このような刃としては機能せずかつシール部材５を押圧する押圧部４５とが形成され、この開封部４３がシール部材５と接触して破断させるものである。また、スパウト本体２の注出筒部２１の下側開口部がシール部材５によって封止されており、基部２２に容器本体が固着されている。なお、図示しない容器本体は、内容物を収容するものであって、合成樹脂製フィルムをラミネートしたいわゆるパウチなどの袋状容器であってもよく、紙などを基材とした容器であってもよい。
【００１９】
スパウト本体２は、容器本体に収容された内容物を注出可能な注出筒部２１と、その容器本体と固着される基部２２とを備えている。注出筒部２１は、基部２２から立ち上がり筒状に延設し一体形成されたものであり、その内周面には開封部材４と螺合する雌ネジ２４が形成され、一方外周面にはキャップ２と螺合する雄ネジ２３と搬送時に支持することで搬送を容易にさせる環状突起部２５とが形成されている。より具体的には、注出筒部２１の外周面に形成された雄ネジ２３は、キャップ３の内周面に形成された雌ネジ３３と螺合するものである。また、注出筒部２１の内周面に形成された雌ネジ２４は、開封部材４の外周面に形成された雄ネジ４１と螺合するものであって、開封部材４が容器本体内へ突出して脱落することを防止するために雌ネジ２４における下側のネジ山には凸部２４ａが形成されている。この凸部２４ａが開封部材４に形成された凸部４１ａと係止することで、スパウト本体２は開封部材４の脱落を防止できる。さらに、この雄ネジ２３と雌ネジ２４とは逆ネジの関係になっている。すなわち、注出筒部２１の外周面に螺合しているキャップ３の開封動作によるキャップ３の上昇方向の移動に伴い、この注出筒部２１の内周面に螺合している開封部材４はシール部材５を突き破る方向に移動するようにこれら雄ネジ２３と雌ネジ２４との関係が決まっている。
【００２０】
また、その基部２２は、容器本体を取り付け可能に機能するものである。例えば、基部２２の外周面に容器本体の内側面の縁部を熱融着（ヒートシール）させて、容器本体とスパウト本体２とを一体に取り付けることができる。また、基部２２の内周径を注出筒部２１の内周径よりも大きくし段差部２６を形成し、段差部２６の下面と基部２２の内周面とにシール部材５が一体的に接着されている。なお、このシール部材５は容器本体と一体に形成されているものであってもよい。また、開蓋した際に開封部材付きスパウト１の開口部をスパウト本体２が形成するものであり、その注出筒部２１および基部２２の上下両端は開口端となっており、容器本体内と連通するものである。なお、基部２２の形状は、利用者がキャップ３を開封する際に摘むもしくは握ることができ、キャップ３の開蓋動作を容易にさせる形状にその外周部分が形成されてもよい。例えば、キャップ３の外周径よりも大径な円状形状の基部２２であってもよく、略ひし形に形成されかつ鈍角に形成され対角となる二角部分を滑らかな形状に成形したものであってもよい。
【００２１】
キャップ３は、開封部材付きスパウト１の口部を封止するものであって、スパウト本体２の開口端を封止する天板部３１と、この天板部３１の周縁部分から垂下しかつスパウト本体２の注出筒部２１における外周面の一部を被覆するように形成されたスカート部３２と、この天板部３１の下面部分から垂下しかつ開封部材４の係止リブ４２と係止するように形成された係止片３４とを備えている。そのスカート部３２の内周面にはスパウト本体２の注出筒部２１の外周面に形成された雄ネジ２３と螺合する雌ネジ３３が形成されている。
【００２２】
また、天板部３１には複数の係止片３４が垂下し形成され、この係止片３４は、例えば水平断面が天板部３１の円周方向において円弧状となりかつ半径方向において直線状となる略三角形となるような楔形状に形成されている。より具体的には、開封部材４に形成された係止リブ４２の数に対応して係止片３４が形成されるものであって、キャップ３は開閉封動作に伴い回転し、その開封動作において係止片３４における半径方向の直線状に形成された係止面３４ａが、開封部材４の係止リブ４２に当接する。一方、その閉封動作において係止片３４における円周方向の円弧部分の円弧面では、係止面３４ａとは異なる面となす頂角部分である係止角３４ｂが、開封部材４の係止リブ４２に当接する。
【００２３】
さらに、軸線方向に垂下するように形成された係止片３４は、係止面３４ａを形成する部分が係止角３４ｂを形成する部分よりも長く垂下するように形成され、その係止角３４ｂの下端から係止面３４ａの下端へと軸線方向に対して傾斜するように傾斜面３４ｃが形成されている。言い換えれば、スパウト本体２の注出筒部２１に対してキャップ３が上昇しかつ開封部材４がシール部材５を突き破る方向へ移動する開封動作において、すなわち係止片３４の係止面３４ａが開封部材４の係止リブ４２と係止している状態において、係止片３４の係止角３４ｂの下端が開封部材４の上端面よりも上側に移動した場合でも、その係止面３４ａと係止リブ４２との係止状態が継続されることになる。なお、係止部３４の傾斜面３４ｃは、係止角３４ｂの下端から係止面３４ａの下端へ直線状に形成されるものであってもよく、曲線的に湾曲状に形成されるものであってもよい。
【００２４】
開封部材４は、スパウト本体２の内部に装着されキャップ３の開封動作に伴い容器本体内方に突出するように注出筒部２１に対して容器本体内の方向へ移動が可能なように、その外周面にはスパウト本体２の内周面に形成された雌ネジ２４と螺合する雄ネジ４１が形成されている。この雄ネジ４１における上側のネジ山部分には、注出筒部２１から開封部材４が容器本体内に離脱しないように雌ネジ２４の凸部２４ａと係止する凸部４１ａが形成されている。したがって、この開封部材４は、キャップ３が開封方向に回転することに伴って、容器本体の開口部を封止しているシール部材５を突き破る方向に螺旋状に回転して移動するものである。
【００２５】
この開封部材４は、容器本体内に収容された内容物が通過可能な筒状に形成され、その内周面には、軸線方向に延設されキャップ３の係止片３４と係止する係止リブ４２が形成されている。この係止リブ４２が係止片３４に係止しているとき、キャップ３の回転方向と同じ方向に開封部材４は回転する。したがって、スパウト本体２の注出筒部２１における雄ネジ２３と雌ネジ２４とが逆ネジの関係にあるため、開封動作に連動してキャップ３に連れ回される開封部材４は、キャップ３の上昇方向とは逆にシール部材５を突き破る方向へ移動する。なお、雄ネジ４１および雌ネジ２４は複数のネジ山による多条ネジであって、雄ネジ２３および雌ネジ３３は単数のネジ山による単条ネジであってもよい。すなわち、ネジ山の条数が限定されるものではなく、キャップ３の回転に対するこのキャップ３の軸線方向の移動距離に比べて、開封部材４の軸線方向の移動距離が大きくなるように構成されているのが好ましい。さらに、開封部材４の下端には、筒状下端の水平面から下方向に突出しシール部材５を破断するための開封部４３が形成されている。
【００２６】
係止リブ４２は、筒状の開封部材４の内周部分に軸線方向に沿って複数延設されており、その内周面から半径方向の中心にむけて突出した突起状の水平断面となるように形成される。例えば、その水平断面が四角形状となるように半径方向に突出した係止リブ４２の場合、係止片３４と当接する面が異なることになる。すなわち、係止片３４の係止面３４ａと当接する開封係止面４２ａと、係止片３４の係止角３４ｂと当接するセッティング係止面４２ｂとが、その円周方向において形成されている。また、その内周面に等間隔に複数の係止リブ４２を配設する場合、９０°間隔に四つの係止リブ４２を配置する。すなわち、係止リブ４２の個数および配置に対応する一または複数の係止片３４がキャップ３の天板部３１から垂下するように形成される。
【００２７】
さらに、その開封係止面４２ａの上端は、セッティング係止面４２ｂの上端よりも上側に突出するように形成されていてもよい。例えば、開封部材４の筒上下端面を水平面とし、これら水平面である基線に対して、セッティング係止面４２ｂの上端部分が上端基線よりも下側に位置する場合、開封係止面４２ａの上端部分はその上端基線よりも上側に突出した位置に配設される。すなわち、係止リブ４２の上端には、開封係止面４２ａの上端からセッティング係止面４２ｂの上端へ向けて、軸線方向の下側に傾斜するように傾斜面４２ｃが形成される。なお、軸線方向に対し鉛直な面に平行な面を水平面という。
【００２８】
加えて、その筒下端面における下端基線より下側に突出した部分が開封部材４における開封部４３となる。言い換えれば、スパウト本体２内に開封部材４が装着されている状態では、この開封部材４のシール部材５側の先端縁に、シール部材５側に突出した開封部４３が配設されることになる。この開封部４３は、シール部材５を軸線方向に突き刺しかつ回転による切り裂きにより破断可能な刃部４４と、シール部材５を押圧する押圧部４５とを含む。この実施形態に係る開封部材４では、刃部４４を複数備えた開封部４３とし、この開封部４３によってシール部材５の破断および開封後に連通された注出流路を塞がないように一部破断された開封片を収容するものである。
【００２９】
図４に示すように、この刃部４４は、略三角形状に筒下端面から下側に突出しかつその縁部が鋭利に形成されており、開封部材４がシール部材５を突き破る方向に移動する際の回転方向における前方側で水平面に対し傾斜している前刃４４ａとその後方側で傾斜している後刃４４ｂとの間に頂部４４ｃが形成されている。軸線方向におけるシール部材５側へ最も突出した頂部４４ｃよりも後退した位置に前後刃４４ａ，ｂが配置されている。言い換えれば、この前後刃４４ａ，ｂは、その回転方向に対して頂部４４ｃが最も突出した三角形状における傾斜部を形成している。
【００３０】
これら前刃４４ａと後刃４４ｂと頂部４４ｃとの縁部が鋭利に形成されるとは、半径方向に水平面から傾斜する面である刃面Ｓを有することであり、前刃４４ａは刃面Ｓａを、後刃４４ｂは刃面Ｓｂを、頂部４４ｃは刃面Ｓｃを有することである。言い換えれば、刃面Ｓは、厚さ方向で傾斜している傾斜面と言える。これら刃面Ｓａ，Ｓｂ，Ｓｃの鋭利さはそれぞれ設定できるものであり、例えば、刃面Ｓｃに比べ刃面Ｓａ，Ｓｂが鋭くなるようにそれぞれの傾斜角度を設定することができる。これら刃部４４は、各刃が隣接するように配設され、開封部材４がシール部材５を突き破る方向に移動する際の回転方向において、各後刃４４ｂの後尾部に次の刃部４４に係る前刃４４ａの先頭部が繋がるようにして配設されている。さらに、回転方向の先頭における刃部４４の前刃４４ａの先頭部は、押圧部４５を介して水平面となる筒下端面に連なるように形成されている。
【００３１】
その押圧部４５は、縁部が半径方向に平坦な面に形成され、シール部材５を下方向に押し込むとともに、破断されたシール部材５である開封片５ａが開口部分を塞がないように開封片５ａを開封部材４の外周面の外側に収容するものである。この押圧部４５は、開封部材４がシール部材５を突き破る方向に移動する際の回転方向において、刃部４４よりも前方に配設されるとともに、その回転方向に対してその先頭部から後尾部へ向けてシール部材５側に突出するように傾斜しており、その後尾部が刃部４４の前刃４４ａの先頭部と連なるように形成されている。また、押圧部４５は、筒下端面から刃部４４の頂部４４ｃまでの高さに対してこの高さの半分以上の高さまで形成されている。すなわち、押圧部４５と前刃４４ａとの接点部分が、下端基線から頂部４４ｃまでの高さの半分以上の位置にくるように、押圧部４５が形成されている。
【００３２】
押圧部４５は刃部４４のようにシール部材５を切り裂くものではなく、具体的には、押圧部４５の縁部が刃部４４のような鋭利な形状に形成されていない。例えば、刃部４４においてシール部材５に当接する刃面Ｓが半径方向に傾斜して鋭利であることに対して、この押圧部４５においてシール部材５に当接する面は半径方向に平行な平坦面となる。言い換えれば、筒下端面を形成する水平面における端部が軸線方向に傾斜して押圧部４５を形成している。すなわち、開封部４３における先頭の山を、押圧部４５と先頭の刃部４４とした場合、頂部４４ｃよりも開封動作時の回転方向前方側における傾斜部は、緩斜である押圧部４５と急傾である前刃４４ａとにより形成される。また、開封部材４の下端面を下から見た場合、その半円部分は開封部４３が形成されない平坦部分であり、残りの半円部分に押圧部４５と複数の刃部４４とが隣接して収まるように開封部４３が配設されている。
【００３３】
また、開封部材付きスパウト１は、スパウト本体２の注出筒部２１の下端部を封止するシール部材５を有している。このシール部材５は、アルミ箔やガスバリア性の樹脂フィルム等を主体とするシート材を、カップ状に成形したものであり、スパウト本体２の注出筒部２１の下側開口部を塞ぐとともに、スパウト本体２の基部２２の内面を覆うように設けられている。また、このシール部材５は、開封部材４の螺旋状の回転によって破断可能な材質によって形成されていればよい。なお、このシート部材５は、容器本体と一体に形成されてもよい。
【００３４】
次に、この実施例１における開封部材付きスパウト１の開封動作について説明する。シール部材５が容器本体を密封している状態は図１に例示する状態であり、シール部材５が開封部材４により破断されて開封片５ａを収容して開封している状態を図２に例示する状態である。
【００３５】
キャップ３を開封方向に回転動作させると、係止片３４が係止リブ４２と係止して同じ回転方向に回転し始める。その際、雌ネジ３３および雄ネジ２３と、雌ネジ２４および雄ネジ４１とが逆ネジの関係であるため、注出筒部２１に対してキャップ３は上昇移動しかつ開封部材４はシール部材５を突き破る方向に移動する。この開封部材４が所定高さまで軸線方向に移動してくると、開封部材４の下端に形成された開封部４３がシール部材５に接触する。
【００３６】
その開封部４３とシール部材５の外周部との接触は、刃部４４の頂部４４ｃから始まり、開封動作の進行に伴い徐々に前後刃４４ａ，ｂへと、当接部分が変化する。このとき、シール部材５は、刃部４４における、軸線方向の移動により容器本体内へ移動する際に突き刺しと、螺旋状に回転することに伴う円周方向へ移動に伴い刃面Ｓによる切り裂きとにより破断される。
【００３７】
そして、シール部材５が刃面Ｓａとの当接から、押圧部４５における押圧面との当接状態へと移行する。この状態において、刃面Ｓによりシール部材５が切り裂かれることはないが、押圧部４５により下方向へとシール部材５が押圧され押し込まれる。さらに、シール部材５と当接したままの押圧部４５が円周方向に回転移動することに伴い、シール部材５が押圧部４５により回転方向へ引っ張られ、押圧部４５と当接する周辺部分では波打つような形状にしわがシール部材５に形成され、その周辺部分におけるシール部材５の一部分が破られる。そして、押圧部４５がさらに回転移動すると、シール部材５は破断されるにつれて徐々に水平方向への張りを失うため、シール部材５と押圧部４５とが当接してもシール部材５は破られずに、押圧部４５の傾斜に沿って下方に押し込まれることとなる。その結果、開封部材４の外周面とスパウト本体２の基部２２の内周面との間に垂下するように収容された開封片５ａが形成される。
【００３８】
この押圧部４５がシール部材５と当接を始め、刃部４４による破断が終了した後も、上述のように開封片５ａが開封部材４と基部２２との間に収容されるまで、シール部材５は押圧部４５により下側に押し込まれている。なお、図１などで例示した上下方向を逆にした場合であっても、この開封部材付きスパウト１におけるシール部材５の開封において、開封部材４によるシール部材５の破断により、開封片５ａが徐々に立ち上がるようにしながら開封部材４と基部２２との間に収容されることが確認された。すなわち、押圧部４５によるシール部材５の押圧により、上下方向の如何に拘わらず開口部を塞がずに開封片５ａを形成させることができる。
【００３９】
また、開封片５ａは、シール部材５から完全に離脱されないものであり、円周方向における一部が破断されないものである。これは、開封部４３における一連に隣接して配置された刃部４４における先頭の刃部４４の前刃４４ａの先頭部と、最後尾の刃部４４の後刃４４ｂの後尾部とが、円周上で繋がるよりも前に、刃部４４が封止面よりも下降してしまうためである。なお、この刃部４４がシール部材５に当接して回転している角度は、約２００°〜２５０°であれば、開封片５ａが綺麗に形成される。また、実験により、その回転角度が約２２５°のときに刃部４４が封止面より下降しきるように設定できることが確認された。
【００４０】
（参考例）
次に、この発明における参考例について説明する。この参考例は、実施例１における開封部材４の開封部４３に形成された押圧部４５に換えて、押圧部４５とは別形状の押圧部７５を備えた開封部材７を使用したものである。したがって、この押圧部４５，７５の相違以外は、実施例１と参考例とは同じ構成を備えるものであり、同一構成については説明を省略する。
【００４１】
この押圧部７５は、半径側面から開封部材７を見た場合に三角状に形成され、下降移動する際の回転方向の前方側に押圧面７５ａと後方側に押圧面７５ｂとの間に頂部７５ｃを有する。押圧面７５ｂの後尾部と先頭の刃部４４の前刃４４ａの先頭部とが接するように、押圧面７５と刃部４４が隣接されている。この押圧部７５は押圧部４５と同様に、刃部４４のように鋭利には形成されず、平坦面に形成された押圧面７５ａ，ｂとを備えている。なお、押圧面７５ａに対して押圧面７５ｂの傾斜が緩やかになるように形成されている。
【００４２】
なお、この発明に係る開封部材付きスパウトは上述の実施形態に限定されるものではない。この発明を逸脱しない範囲において、適宜変更することが可能である。
【符号の説明】
【００４３】
１…容器用注出口、  ２…注出口本体、  ３…キャップ、  ４，７…開封部材、  ５…シール部材。
【図１】
0005905695.tif 000002
【図２】
0005905695.tif 000003
【図３】
0005905695.tif 000004
【図４】
0005905695.tif 000005
【図５】
0005905695.tif 000006